(57)【要約】【課題】キャビネット上部に載置された手洗い器から、キャビネット内部に収納されたタンクに水を供給する場合において、キャビネット内における水の落下音の清音化と、キャビネット内における水の飛散を抑えることを課題とする。【解決手段】便器に洗浄水を供給するタンクを収納したキャビネットと、手洗い器と、を備えたトイレ装置であって、手洗い器は、吐水部材と、ボウル部と、排水口と、を有し、タンク上方には、排水口から排水された水をタンクへ流入させる蓋開口と、タンク蓋とを有しており、タンク蓋の内側には、皿開口が開口され、タンク蓋の上面に載せられた排水受け面と、排水受け面の周囲において上方に立ち上がる立壁と、を有する受け皿が設けられており、蓋開口と皿開口とは上面視において重なる位置に設けられており、排水口から排水された水を排水受け面で受け、皿開口を経由して蓋開口からタンクへと流入させることを特徴とするトイレ装置。【選択図】図３
2018127833.tif 000002
【特許請求の範囲】
【請求項１】
便器の後方に設置され前記便器に洗浄水を供給するタンクを収納したキャビネットと、該キャビネットの上面に設置された手洗い器と、を備えたトイレ装置であって、
前記手洗い器は、給水源から給水された水を吐水する吐水部材と、
前記吐水部材からの吐水を受けるボウル部と、
前記ボウル部の下方に開口され、前記ボウル部が受けた水を排水する排水口と、を有し、
前記タンクの上方には、前記排水口から排水された水を前記タンクへ流入させる蓋開口が開口され、前記タンクの上方を覆うタンク蓋を有しており、
前記タンク蓋の外周よりも内側には、皿開口が開口され前記タンク蓋の上面に載せられた排水受け面と、該排水受け面の周囲において上方に立ち上がる立壁とを有する受け皿が設けられており、
前記蓋開口と前記皿開口とは上面視において重なる位置に設けられており、前記排水口から排水された水を前記立壁内の前記排水受け面で受けとめ、前記皿開口を経由して前記蓋開口から前記タンクへと流入させることを特徴とするトイレ装置。
【請求項２】
前記排水受け面には、該排水受け面を前記立壁に向かって流れる水流を阻害する水流阻害手段が設けられていることを特徴とする請求項１記載のトイレ装置。
【請求項３】
前記水流阻害手段として前記受け皿には、該排水受け面から前記立壁にかけて段差が設けられたことを特徴とする請求項２記載のトイレ装置。
【請求項４】
前記受け皿を構成する部材の厚みは、前記タンク蓋を構成する部材の厚みよりも厚いことを特徴とする請求項１乃至請求項３のいずれか一項に記載のトイレ装置。
【請求項５】
前記蓋開口及び前記皿開口に対して前記排水口は、上面視において重なる領域をもたない位置にあることを特徴とする請求項１乃至請求項４のいずれか一項に記載のトイレ装置。
【請求項６】
前記受け皿には、前記タンク蓋と係合する係合部と、前記タンク蓋には前記受け皿と係合される被係合部とを有することを特徴とする請求項１乃至請求項４のいずれか一項に記載のトイレ装置。
【発明の詳細な説明】
【技術分野】
【０００１】
本発明は、便器の後部にキャビネットを設置したトイレ装置に関する。  
【背景技術】
【０００２】
上質なトイレ空間を実現するために、便器の後部にキャビネットを設置し、キャビネット内部に、便器に洗浄水を供給するためのタンクを収納し、タンク隠蔽を行う場合がある。この構成において使用者が手洗いをするための手洗い器をキャビネットの上部かつ中央に設けたとき、手洗い器のボウル部下方にある排水口と、排水口から流入してきた水を受けるタンク上部に載置された蓋にある開口との位置が、上面視において重なる位置に設けることができないことがあった。この場合は、ジャバラ管などの配水手段を用い、ボウル部下方にある排水口と、タンク上部に載置された蓋にある開口とを連結し、排水口からタンクへ水を供給する方法が採用される。（例えば、特許文献１）しかしながら、キャビネット上面と、ボウル上面の位置が等しく、キャビネットに対してボウル部が深く埋め込まれているときは、タンク上部とボウル部下端との距離が極めて近く配置されてしまうために、ジャバラ管などの配水手段を採用することができない場合があった。
【先行技術文献】
【特許文献】
【０００３】
【特許文献１】特開平１１−３２４０５８号公報
【発明の概要】
【発明が解決しようとする課題】
【０００４】
上述したタンク上部とボウル部下端との距離が極めて近く配置されてしまう条件において、ジャバラ管などの配水手段を採用せずに 排水口からタンクに水を供給できる方法を考えると、タンク蓋の上面であって、開口を中心とした傾斜を形成する方法が考えられる。しかしながら、上記の方法においては、排水口から落下してきた水が蓋の上部の傾斜に排水されたときにタンク蓋全体を振動させて、大きな音を発生させてしまい、トイレ空間の上質さを損なってしまうことや、水はねが発生してキャビネット内に水が飛散してしまう課題が生まれた。
【課題を解決するための手段】
【０００５】
上記課題を解決する為に、本発明に係るトイレ装置においては、便器の後方に設置され便器に洗浄水を供給するタンクを収納したキャビネットと、キャビネットの上面に設置された手洗い器と、を備えたトイレ装置であって、手洗い器は、給水源から給水された水を吐水する吐水部材と、吐水部材からの吐水を受けるボウル部と、ボウル部の下方に開口され、ボウル部が受けた水を排水する排水口と、を有し、タンクの上方には、排水口から排水された水をタンクへ流入させる蓋開口が開口され、タンクの上方を覆うタンク蓋を有しており、タンク蓋の外周よりも内側には、皿開口が開口されタンク蓋の上面に載せられた排水受け面と、排水受け面の周囲において上方に立ち上がる立壁とを有する受け皿が設けられており、蓋開口と皿開口とは上面視において重なる位置に設けられており、排水口から排水された水を立壁内の排水受け面で受けとめ、皿開口を経由して蓋開口からタンクへと流入させることを特徴とするトイレ装置である。
【０００６】
この発明によれば、手洗い器の排水口から排水された水をタンクへ流入させるために、タンク蓋の外周よりも内側にタンク蓋とは別部材の受け皿を設け、排水口から排水された水を受け皿の排水受け面で受け止めるように構成されている。排水口からの水を受け止める排水受け面の面積がタンク蓋の面積よりも小さくなっているため、排水口からの排水を排水受け面で受け止めた際に生じる振動の振幅は、タンク蓋で受け止めた際に生じる振動の振幅よりも小さくなる。従って、手洗い器の排水口から排水された水をタンクへ流入させるために発生する音を小さくすることができる。さらに、立壁があるため、水の飛散が生じにくい。
【０００７】
本発明において、好ましくは、排水受け面には、排水受け面を立壁に向かって流れる水流を阻害する水流阻害手段が設けられたトイレ装置である。
【０００８】
排水口から排水された水が排水受け面に落下し、排水受け面上で広がり、水が立壁に強く衝突してしまった場合に、立壁の上方からキャビネット内に水が飛散してしまう新たな課題が生じた。加えて、水が立壁に強く衝突する場合には、受け皿の振動の振幅を大きくしてしまい、大きな音が発生してしまう新たな課題が生じた。
【０００９】
この構成によれば、排水受け面には、排水受け面を立壁に向かって流れる水流を阻害する水流阻害手段が設けられており、排水口から排水され、排水受け面に落下してきた水が、排水受け面上で広がり、水流阻害手段で流れが弱められた水が立壁に衝突することで、水が立壁に衝突する勢いを減衰させることができる。よって、立壁の上方からキャビネット内に水が飛散してしまうことを抑制できる。従って、手洗い器の排水口から排水された水をタンクへ流入させるために発生する音を小さくすることができる。
【００１０】
本発明において、好ましくは、水流阻害手段として受け皿には、排水受け面から立壁にかけて段差が設けられたトイレ装置である。
【００１１】
この構成によれば、受け皿には、排水受け面から受け皿の立壁にかけて段差が設けられており、排水口から排水され、排水受け面に落下してきた水が、排水受け面上で広がり、段差に衝突し、一度段差を上った水が立壁に衝突することで、水が立壁に衝突する勢いを減衰させることができる。よって、立壁の上方からキャビネット内に水が飛散してしまうことを抑制できる。さらに、立壁を上り、受け皿に戻ってくる水の多くが段部に落ちるため、受け皿に対する振動を軽減させることができる。従って、手洗い器の排水口から排水された水をタンクへ流入させるために発生する音を小さくすることができる。
【００１２】
本発明において、好ましくは、受け皿を構成する部材の厚みは、タンク蓋を構成する部材の厚みよりも厚いトイレ装置である。
【００１３】
この構成によれば、受け皿を構成する部材の厚みは、タンク蓋を構成する部材の厚みよりも厚いので、受け皿がタンク蓋に比べて硬く、振動の振幅を小さく抑えることができる。一方で、タンク蓋は受け皿よりも軟質であるため振動の振幅が大きく、排水口から排水受け面に落下してきた水によって発生する受け皿の振動に対して、タンク蓋は柔軟に追従し、受け皿の振動を吸収し減衰させることができる。従って、手洗い器の排水口から排水された水をタンクへ流入させるために発生する音を小さくすることができる。
【００１４】
本発明において、好ましくは、蓋開口及び皿開口に対して排水口は、上面視において重なる領域をもたない位置にあるトイレ装置である。
【００１５】
この構成によれば、上述した発明においても受け皿からタンク内に水が落下したときにどうしても発生してしまう、タンク内における水の落下音を、タンク内で音を反響させ、蓋開口と皿開口を通じて、ボウル部下方にある開口からトイレ空間に伝達されるため、キャビネット内部において十分に減衰した音がトイレ空間に伝達される。すなわち、蓋開口及び皿開口に対してボウル部の下方の排水口は上面視において重なる領域をもっていないので、音が直接的に蓋開口と皿開口を通じて排水口からでていくことがなく、タンク上方のキャビネット内部で反響し減衰された音が排水口からトイレ空間に伝達される。従って、手洗い器の排水口から排水された水をタンクへ流入させるために発生する音を小さくすることができる。
【００１６】
本発明において、好ましくは、受け皿には、タンク蓋と係合する係合部と、タンク蓋には受け皿と係合される被係合部とを有するトイレ装置である。
【００１７】
この構成によれば、排水口から落下してきた水を受けることで振動する受け皿が、所定位置から回転方向ないし水平方向へと移動していってしまう移動を防止できる。さらに、受け皿とタンク蓋とは、係合するので、受け皿の振動は、係合部から確実にタンク蓋に伝わり、より受け皿とタンク蓋が一体となって振動し、十分にタンク蓋が受け皿の振動を減衰させることができる。従って、手洗い器の排水口から排水された水をタンクへ流入させるために発生する音を小さくすることができる。
【発明の効果】
【００１８】
本発明の態様によれば、手洗い器の排水口から排水された水をタンクへ流入させるために発生する音を小さくすることができる。また、キャビネット内部における手洗い器の排水口から排水された水のキャビネット内への飛散を防止できる。
【図面の簡単な説明】
【００１９】
【図１】本発明の実施形態に係るキャビネットとキャビネットの上部に設置された手洗い器とキャビネットに設置された壁掛式便器との斜視図である。
【図２】図１におけるＡ−Ａ線内の正面視における主要部断面図である。
【図３】本発明の実施形態に係る受け皿の上面視図と、Ｂ−Ｂ線における断面図である。
【図４】本発明の実施形態に係るタンク蓋の上に載置した受け皿の上面視図と、Ｃ−Ｃ線における断面図である。
【発明を実施するための形態】
【００２０】
以下、本発明の実施形態について、図面を参照しながら説明する。なお、各図面中、同様の構成要素には同一の符号を付して、詳細な説明は適宜省略する。
【００２１】
図１は、本発明の実施形態に係るキャビネットとキャビネットの上部に設置された手洗い器とキャビネットに設置された壁掛式便器との斜視図である。図２は、図１におけるＡ−Ａ線内の正面視における主要部断面図である。以降の説明においては、壁掛式便器の正面に立った使用者から見て、使用者側を「前方」、壁掛式便器に向かう側を「後方」と呼び、使用者から見て左右夫々の側を「左方」、「右方」と呼び、鉛直方向上側を「上方」、鉛直方向下側を「下方」、トイレ装置を上方から見下ろしたときの視点を上面視と呼んで説明を行う。
【００２２】
なお、本実施例においては、先ずトイレ装置全体の構成について説明し、その後、本発明に係る手洗い器のボウル部の下方に設けられた排水口からタンクに水を供給する排水流路各々の具体構造について説明する。
【００２３】
トイレ装置ＴＳは、トイレ室内において、キャビネット１と、キャビネット１の上面にある天面板４の中央に設置された手洗い器２と、キャビネット１の前方に設置された壁掛式便器３から構成される。キャビネットの内部は収納空間になっており、使用者が適宜利用することができる。
【００２４】
キャビネット１上方には、天面板４が取り付けられ、天面板４の中央は、手洗い器２を備えている。キャビネット１の正面の左右方向においては、開閉自在の扉５が取り付けられており、キャビネット１の正面の中央においては、前板８を有している。キャビネット１の左右方向及び後方は、トイレ空の側壁により塞がれている。手洗い器２の下方かつキャビネット１の内部の空間において、壁掛式便器３に洗浄水を供給するためのタンク１３が収納されている。
【００２５】
手洗い器２は、吐水部材９と、吐水部材９からの水を受けて天面板４と上縁の高さが同一であるボウル部１０と、ボウル部１０から水を排水するための開口である排水口１１を有する。なお、ボウル部１０の上縁の高さは天面板４よりも下方であってもよい。
【００２６】
壁掛式便器３は陶器製であり、排泄物を受け入れ、タンク１３から供給された洗浄水によって排泄物を下水管へと排出できるよう構成されている。タンク１３は、内部に壁掛式便器３を洗浄するための水を貯水できるようになっており、貯水していた水を壁掛式便器３に向けて排水することができるように構成されている。
【００２７】
タンク１３は、給水源（図示せず）に接続されて、給水源からの洗浄水の流入を制御するボールタップ（図示せず）が内蔵されている。また、タンク１３の底部には壁掛式便器３へ向けて水を排水するための排水弁（図示せず）が設けられている。
【００２８】
このように構成されたタンク１３において、レバー（図示せず）を操作することによって、タンク１３の底部に設けられた排水弁が開き、壁掛式便器３にタンク１３から水が排水される。水の排水にともなって、タンク１３の貯水水位が低下し、ボールタップが開き、タンク１３へ水が供給される。また、タンク１３の内部には、一端がボールタップにホースで直接接続された給水配管が配置されており、ボールタップが開いて供給された水の一部を吐水部材９へ向けて供給することが可能となっている。
【００２９】
手洗い器２の後方には、吐水部材９が固定されている。そして、手洗い器２が天面板４の上部に載置されると、給水部から吐水部材９に向けて、給水が可能となっている。そのため、ボールタップが開いてタンク１３へ水が供給されている状態では、吐水部材９の先端にある吐水口１７から吐水され、利用者は手を洗うことが可能となっている。
【００３０】
次に、本発明の実施形態に係る手洗い器２の吐水受け面であるボウル部１０の下方に設けられた排水口１１からタンク１３に水を供給する具体構造について説明する。
【００３１】
図３は、本発明の実施形態に係る受け皿の上面視図と、Ｂ−Ｂ線における断面図である。図４は、本発明の実施形態に係るタンク蓋の上に載置した受け皿の上面視図と、Ｃ−Ｃ線における断面図である。
【００３２】
本発明の実施形態に係る手洗い器２の吐水部材９の下方に設けられた排水口１１からタンク１３に水を供給する流路には、手洗い器２の排水口１１から排水された水をタンク１３へ流入させるために、キャビネット１内のタンク１３の上端に載置されるタンク蓋２５が設けられている。タンク蓋２５は、タンクの水を蒸発するのを防ぐ為と、タンク１３に排水された水の音の反響を防ぐ為に設けられている。
【００３３】
タンク蓋２５の上面には、タンク蓋２５の外周よりも内側にタンク蓋２５とは別部材の受け皿１９が設けられている。受け皿１９は、１枚のポリプロピレンのシートを真空成型し、上面視において略長方形状に形成されている。受け皿１９は、ボウル部の下方に設けられた排水口１１からの排水された水を受ける平坦な排水受け面２１と、排水受け面２１の周囲には、上方に向けて立ち上がる立壁２３が設けられている。
【００３４】
排水受け面２１には、排水受け面２１に排水された水を排水する開口である円形の皿開口２９が設けられている。さらに、皿開口２９に水の排水を促すように排水受け面２１には傾斜が設けられている。また、排水受け面２１の外周、すなわち、立壁２３の内周における立壁２３の下端から、立壁２３の上端までの立壁２３の側壁において、内周方向に段部２８が形成され、段部２８の上面と排水受け面２１との間に水流阻害手段としての段差２７を備えている。なお、この段部２８は排水受け面２１の全周に設けられていてもよい。
【００３５】
皿開口２９の下方には、下方に伸びる円筒状の皿排水路３０が形成されており、さらに、蓋開口には、下方に伸びる円筒状の蓋排水路３２が形成されている。皿排水路３０と、蓋排水路３２は、蓋排水路３２の上側に皿排水路３０が嵌まり込むように形成されている。
【００３６】
立壁２３の外周においては、外周の下端は立壁２３の内周の下端と鉛直方向において同じ高さであって、外周方向に平坦なつなぎ面２４が形成されている。つなぎ面２４においては、つなぎ面２４から下方に向けて凸形状であって、円筒状の係合部３３が設けられている。なお、タンク蓋２５には、係合部３３が係合される被係合部３５が設けられている。つなぎ面２４の外周において、リブ２２が形成されている。リブ２２の高さは、鉛直方向において、立壁２３の上端面の高さよりも低い。リブ２２の少なくとも一部は、タンク蓋２５の内周に位置している。
【００３７】
さらに、皿開口２９は、タンク蓋２５に開口された蓋開口３１と上面視において重なる位置に設けられている。上面視において、皿開口２９及び蓋開口３１に対して、ボウル部１０の下方に設けられた排水口１１は、重なる面積を有さない（図２参照）。受け皿１９の部材の厚みは、タンク１３蓋の部材の厚みよりも厚く形成されている。具体的には、受け皿の部材の厚さは1.4mmで、タンク蓋の部材の厚さは1mmである。
【００３８】
手洗い器２の排水口１１から排水された水は、受け皿１９の排水受け面２１に排水される。その後、排水受け面２１から立壁２３に向かって水が広がり、一部の水は直接皿開口２９と蓋開口３１を通じてタンク１３に落下してタンク１３に水を供給し、多くの水は、段差２７に衝突する。衝突した水の一部は、段差２７を駆け上り段部２８の上を流れ、立壁２３に衝突し、段部２８に跳ね返る。このとき跳ね返った水は、排水受け面２１よりも上方に位置していて、水膜が形成された段部２８の上面に落ちることで、受け皿１９への衝撃を減らしている。さらに、立壁２３が設けられていることで、積極的に水を排水受け面２１に跳ね返し、キャビネット１内に水が飛散することを防いでいる。
【００３９】
排水受け面２１上の水は、排水受け面２１の傾斜に沿って、皿開口２９まで誘導され、蓋開口３１を通じタンク１３に落下しタンク１３に水を供給する。タンク１３内に水が落下したときに発生する落下音は、蓋開口３１及び皿開口２９を通じて、キャビネット１内に伝わり、ボウル部１０の下方に設けられた排水口１１からトイレ空間に伝達されるが、上面視において、皿開口２９及び蓋開口３１に対して、ボウル部１０下方に設けられた排水口１１は、重なる面積を有さないため、キャビネット１内にて十分に減衰した音が、トイレ空間に伝達される。
【００４０】
受け皿１９の内周かつ立壁２３の外周のつなぎ面２４には、タンク蓋２５と受け皿１９とを係合するための係合部３３が設けられている。さらに、皿開口２９と蓋開口３１は係合部３３するように形成されている。タンク蓋２５は、受け皿１９の係合部３３が係合される被係合部３５を有している。さらに、タンク蓋２５の被係合部３５の形状は、円筒状であって、凹形状に形成されている。この凹形状に対してはまり込む凸形状の係合部３３が受け皿１９に形成されている。
【００４１】
皿排水路３０と蓋排水路３２と、さらに、係合部３３と被係合部３５とが係合するため、受け皿１９が受けた上下方向の振動における、受け皿１９の上方向の移動に対して、タンク蓋２５が受け皿１９と一体になって振動する。よって、受け皿１９が受けた上下方向の振動をより早く減衰させることができる。さらに、左右方向の振動に対しては、皿排水路３０と蓋排水路３２、さらに、係合部３３と被係合部３５とが２箇所で係合しているため、タンク蓋２５の上に設置された受け皿１９を所定の位置からずらすことなく維持することができる。
【００４２】
以上、本発明の実施形態について図面に基づいて説明してきたが、本発明はこの実施形態に限定されるものではない。例えば、水流阻害手段については、排水受け面を立壁２３に向かって流れる水流に対する障害物となる構成であればよく、立壁２３の側壁に形成された段部２８によって排水受け面２１との間に形成さえれた段差２７に代えて、排水受け面２１に複数の突起を設けることによって構成することも可能である。
【符号の説明】
【００４３】
１・・・キャビネット
２・・・手洗い器
３・・・壁掛式便器
４・・・天面板
５・・・扉
８・・・前板
９・・・吐水部材
１１・・・排水口
１３・・・タンク
１７・・・吐水口
１９・・・受け皿
２１・・・排水受け面
２２・・・リブ
２３・・・立壁
２４・・・つなぎ面
２５・・・タンク蓋
２７・・・段差
２８・・・段部
２９・・・皿開口
３０・・・皿排水路
３１・・・蓋開口
３２・・・蓋排水路
３３・・・係合部
３５・・・被係合部
【図１】
2018127833.tif 000003
【図２】
2018127833.tif 000004
【図３】
2018127833.tif 000005
【図４】
2018127833.tif 000006